(57)【要約】【課題】モニタをより円滑に回動できるディスプレイ装置を提供すること。【解決手段】ディスプレイ装置１００は、フレーム１と、ガイド部材２と、ガイド部材２に沿って往復動可能なスライダ３と、第１軸Ａ１の回りで回動可能にスライダ３に取り付けられるモニタ４と、第２軸Ａ２の回りで回動可能にスライダ３に取り付けられる第１リンク部材５と、第３軸Ａ３の回りで回動可能にモニタ４に取り付けられる第２リンク部材６と、第４軸Ａ４の動きを案内する案内部材８と、モニタ４に一体的に突設され且つ第３軸Ａ３が配置されるモニタアーム４Ｍとを有する。第１リンク部材５と第２リンク部材６は第４軸Ａ４の回りで回動可能に連結される。モニタアーム４Ｍ、第１リンク部材５、第２リンク部材６、軸部材７、及び案内部材８は、それぞれ少なくとも２つずつ設けられ、少なくとも２つのモニタ回動機構２０を構成している。【選択図】図８
2018132708.tif 000002
【特許請求の範囲】
【請求項１】
フレームと、
前記フレームに固定されたガイド部材と、
第１方向に延びる前記ガイド部材に沿って往復動可能なスライダと、
第１軸の回りで回動可能に前記スライダに取り付けられるモニタと、
第２軸の回りで回動可能に前記スライダに取り付けられる第１リンク部材と、
第３軸の回りで回動可能に前記モニタに取り付けられる第２リンク部材と、
第４軸を構成する軸部材と、
前記フレームに固定され且つ前記軸部材の動きを案内する案内部材と、
前記モニタに一体的に突設され且つ前記第３軸が配置されるモニタアームと、
を有し、
前記第１リンク部材と前記第２リンク部材は、前記第４軸の回りで互いに回動可能に連結され、
前記第１軸、前記第２軸、前記第３軸及び前記第４軸は何れも前記第１方向に垂直な第２方向に延び且つ互いに平行であり、
前記モニタアーム、前記第１リンク部材、前記第２リンク部材、前記軸部材及び前記案内部材は、それぞれ少なくとも２つずつ設けられ、少なくとも２つのモニタ回動機構を構成している、
ディスプレイ装置。
【請求項２】
少なくとも２つの前記モニタアームのうちの１つは、少なくとも２つの前記モニタアームのうちの別の１つよりも長い、
請求項１に記載のディスプレイ装置。
【請求項３】
少なくとも２つの前記モニタ回動機構は、前記モニタの左側にある左側モニタ回動機構と、前記モニタの右側にある右側モニタ回動機構とを含む、
請求項１又は２に記載のディスプレイ装置。
【請求項４】
少なくとも２つの前記第２リンク部材のうちの１つは、少なくとも２つの前記第２リンク部材のうちの別の１つよりも長い、
請求項１乃至３の何れか一項に記載のディスプレイ装置。
【請求項５】
前記案内部材は溝カムであり、
少なくとも２つの前記溝カムのうちの１つのカム溝の形状は、少なくとも２つの前記溝カムのうちの別の１つのカム溝の形状と異なる、
請求項１乃至４の何れか一項に記載のディスプレイ装置。
【請求項６】
少なくとも２つの前記モニタ回動機構のうちの１つに関する前記第１軸と前記第３軸との距離は、少なくとも２つの前記モニタ回動機構のうちの別の１つに関する前記第１軸と前記第３軸との距離よりも大きい、
請求項１乃至５の何れか一項に記載のディスプレイ装置。
【発明の詳細な説明】
【技術分野】
【０００１】
本発明は、モニタの立ち上げ・収納が可能なディスプレイ装置に関する。
【背景技術】
【０００２】
従来、モニタを横倒しにして筐体内に収納した状態と、画面が視認されるようにモニタを立ち上げた状態とを切り換えることができるモータ駆動式の機構を備えた車載モニタ装置が知られている（特許文献１参照。）。
【０００３】
この機構は、モニタの背面に固定され且つその背面から垂直に延びる案内部材と、案内部材に取り付けられた２つのカムフォロアと、２つのカムフォロアのそれぞれと係合する２つのカム溝が形成された溝カム（筐体）とを含む。カムフォロアの一方は、対応するカム溝の前端に達すると、モニタの回動中心として機能する。このとき、カムフォロアの他方は、対応するカム溝の前端に達するまでは、その回動中心の回りでモニタを回動させようとする力の作用点として機能する。そして、２つのカムフォロアのそれぞれがカム溝の前端に押し付けられたときにモニタの立ち上がりが完了するように構成されている。
【先行技術文献】
【特許文献】
【０００４】
【特許文献１】特許第４８３４１５４号明細書
【発明の概要】
【発明が解決しようとする課題】
【０００５】
しかしながら、上述の機構は、モニタの背面から垂直に延びる単一の案内部材に取り付けられた２つのカムフォロアを用いてモニタを回動させている。そのため、モニタを回動させようとする力の作用点が１つのみとなり、左右にある程度の幅を有するモニタを円滑に回動させることができないおそれがある。
【０００６】
上述に鑑み、モニタをより円滑に回動できるディスプレイ装置を提供することが望まれる。
【課題を解決するための手段】
【０００７】
本発明の実施形態によるディスプレイ装置は、フレームと、前記フレームに固定されたガイド部材と、第１方向に延びる前記ガイド部材に沿って往復動可能なスライダと、第１軸の回りで回動可能に前記スライダに取り付けられるモニタと、第２軸の回りで回動可能に前記スライダに取り付けられる第１リンク部材と、第３軸の回りで回動可能に前記モニタに取り付けられる第２リンク部材と、第４軸を構成する軸部材と、前記フレームに固定され且つ前記軸部材の動きを案内する案内部材と、前記モニタに一体的に突設され且つ前記第３軸が配置されるモニタアームと、を有し、前記第１リンク部材と前記第２リンク部材は、前記第４軸の回りで互いに回動可能に連結され、前記第１軸、前記第２軸、前記第３軸及び前記第４軸は何れも前記第１方向に垂直な第２方向に延び且つ互いに平行であり、前記モニタアーム、前記第１リンク部材、前記第２リンク部材、前記軸部材及び前記案内部材は、それぞれ少なくとも２つずつ設けられ、少なくとも２つのモニタ回動機構を構成している。この構成により、ディスプレイ装置は、モニタを回動させようとする力の作用点を２つ以上とすることができ、モニタをより円滑に回動できる。
【０００８】
少なくとも２つのモニタアームのうちの１つは、少なくとも２つのモニタアームのうちの別の１つよりも長くなるように構成されていてもよい。例えば、左右一対のモニタアームのそれぞれは、ディスプレイ装置の幅方向の中心線に関して左右非対称となるように構成されていてもよい。この構成により、ディスプレイ装置は、一方のモニタアームを長くすることができ、第１軸回りのトルクを大きくすることができる。また、他方のモニタアームを短くすることで、他方のモニタアームに連結される第２リンク部材の最高到達高さを低くすることができ、ディスプレイ装置の一部を覆うように配置される構造物と第２リンク部材との接触を回避できる。この場合、構造物は、ディスプレイ装置の幅方向の中心線に関して左右非対称の形状を有していてもよい。
【０００９】
少なくとも２つのモニタ回動機構は、モニタの左側にある左側モニタ回動機構と、モニタの右側にある右側モニタ回動機構とを含んでいてもよい。この構成により、ディスプレイ装置は、モニタの左右両側でモニタを支えることができ、且つ、モニタの左右両側で第１軸回りのトルクを発生させることができる。
【００１０】
少なくとも２つの第２リンク部材のうちの１つは、少なくとも２つの第２リンク部材のうちの別の１つよりも長くなるように構成されていてもよい。例えば、左右一対の第２リンク部材のそれぞれは、ディスプレイ装置の幅方向の中心線に関して左右非対称となるように構成されていてもよい。この構成により、ディスプレイ装置は、長い方の第２リンク部材に連結されるモニタアームを長くすることができ、第１軸回りのトルクを大きくすることができる。また、短い方の第２リンク部材の最高到達高さを低くすることができ、ディスプレイ装置の一部を覆うように配置される構造物と第２リンク部材との接触を回避できる。この場合、構造物は、ディスプレイ装置の幅方向の中心線に関して左右非対称の形状を有していてもよい。
【００１１】
案内部材は溝カムであってもよい。この場合、ディスプレイ装置が２つのモニタ回動機構を有し、且つ、２つの第２リンク部材の一方が他方より長いときには、２つの溝カムのうちの一方のカム溝の形状は、２つの溝カムのうちの他方のカム溝の形状と異なるように構成されていてもよい。この構成により、ディスプレイ装置は、左右非対称の一対のモニタ回動機構のそれぞれによる、モニタの回動を開始させるタイミング、モニタの回動速度、モニタの回動を停止させるタイミング等を同期させることができる。
【００１２】
少なくとも２つのモニタ回動機構のうちの１つに関する第１軸と第３軸との距離は、少なくとも２つのモニタ回動機構のうちの別の１つに関する第１軸と第３軸との距離よりも大きくなるように構成されていてもよい。第１軸と第３軸との距離が大きい程、より小さい力で第１軸回りにモニタを回動させることができるためである。この構成により、ディスプレイ装置は、より小さい力でモニタの揺動を抑制し或いは防止し、且つ、より小さい力でモニタを回動させることができる。
【発明の効果】
【００１３】
上述の手段により、モニタをより円滑に回動できるディスプレイ装置を提供できる。
【図面の簡単な説明】
【００１４】
【図１】ディスプレイ装置の上面斜視図である。
【図２】ディスプレイ装置の底面斜視図である。
【図３】図１の領域ＩＩＩの拡大図である。
【図４】モニタの動きを示すディスプレイ装置の側面図である。
【図５】モニタが収納完了状態にあるときのディスプレイ装置の側面図である。
【図６】モニタが立ち上がり完了状態にあるときのディスプレイ装置の側面図である。
【図７】ディスプレイ装置の上面斜視図である。
【図８】車両のダッシュボードに取り付けられたディスプレイ装置とディスプレイ装置の上に配置された構造物との位置関係を示す概略図である。
【図９】車両のダッシュボードに取り付けられたディスプレイ装置とディスプレイ装置の上に配置された構造物との位置関係を示す別の概略図である。
【発明を実施するための形態】
【００１５】
図１〜図３は、本発明の一実施形態に係るディスプレイ装置１００の概略図である。具体的には、図１はディスプレイ装置１００の上面斜視図であり、図２はディスプレイ装置１００の底面斜視図である。図３は図１の領域ＩＩＩの拡大図である。本書では、便宜上、ディスプレイ装置１００の正面側を＋Ｘ側とし、背面側を−Ｚ側とする。また、ディスプレイ装置１００の正面を＋Ｘ側から見たときの上側、下側、左側、右側をそれぞれ＋Ｚ側、−Ｚ側、＋Ｙ側、−Ｙ側とする。
【００１６】
ディスプレイ装置１００は、例えば、車両に搭載される。ディスプレイ装置１００は、主に、フレーム１、ガイド部材２、スライダ３、モニタ４、第１リンク部材５、第２リンク部材６、軸部材７、案内部材８、スライダ駆動機構９等を含む。
【００１７】
フレーム１は、ディスプレイ装置１００の筐体を構成する。フレーム１は、金属、プラスチック等で形成された底面板１Ｂ、前面板１Ｆ、及び背面板１Ｒを含む。図２及び図３は、明瞭化のため、底面板１Ｂの図示を省略している。
【００１８】
ガイド部材２は、スライダ３の往復動をガイドする。本実施形態では、ガイド部材２は、金属、プラスチック等で形成された棒部材であり、フレーム１に固定されている。具体的には、前面板１Ｆと背面板１Ｒとの間で第１方向（Ｘ軸方向）に延びるように配置されている。ガイド部材２は、左右一対で構成され、左ガイド部材２Ｌ及び右ガイド部材２Ｒを含む。左ガイド部材２Ｌ及び右ガイド部材２Ｒは第１方向に沿って互いに平行に延びる。ガイド部材２は、底面板に取り付けられたレールであってもよい。
【００１９】
スライダ３は、ガイド部材２に沿って往復動する。本実施形態では、スライダ３は、軸受けを介してガイド部材２に支持されている。そのため、ガイド部材２上を滑らかに摺動可能である。スライダ３は、スライダ駆動機構９によって第１方向に往復動させられる。
【００２０】
モニタ４は、画像を表示する装置である。本実施形態では、薄型の液晶モニタである。プラズマモニタ、有機ＥＬモニタ等であってもよい。モニタ４は、第１軸Ａ１の回りで回動可能にスライダ３に取り付けられている。第１軸Ａ１は、モニタ４の近位端部（下端部）４ｐに配置されている。また、第１軸Ａ１は、スライダ３の前端（＋Ｘ側端）で且つ上端（＋Ｚ側端）に配置されている。図１の例では、下端部４ｐから後方（−Ｘ方向）にモニタアーム４Ｍが延びている。モニタアーム４Ｍは、モニタ４の筐体と一体的に形成されている。すなわち、モニタ４に一体的に突設されている。但し、別体として形成されてモニタ４の筐体に回動不能に固定されていてもよい。モニタアーム４Ｍは、左右一対で構成され、左モニタアーム４ＭＬ及び右モニタアーム４ＭＲを含む。図１の例では、右モニタアーム４ＭＲは左モニタアーム４ＭＬよりも長い。
【００２１】
第１リンク部材５は、スライダ３に回動可能に取り付けられている。本実施形態では、第１リンク部材５は、金属、プラスチック等で形成され、第２軸Ａ２の回りで回動可能にスライダ３に取り付けられている。第２軸Ａ２は、第１リンク部材５の後端（−Ｘ側端）に配置されている。また、第２軸Ａ２は、スライダ３の後端（−Ｘ側端）で且つ上端（＋Ｚ側端）に配置されている。第１リンク部材５は、左右一対で構成され、左第１リンク部材５Ｌ及び右第１リンク部材５Ｒを含む。
【００２２】
第２リンク部材６は、モニタ４に回動可能に取り付けられている。本実施形態では、第２リンク部材６は、金属、プラスチック等で形成され、第３軸Ａ３の回りで回動可能にモニタアーム４Ｍに取り付けられている。第３軸Ａ３は、第２リンク部材６の前端（＋Ｘ側端）に配置されている。また、モニタアーム４Ｍの遠位端に配置されている。
【００２３】
具体的には、第２リンク部材６は、左右一対で構成され、左第２リンク部材６Ｌ及び右第２リンク部材６Ｒを含む。左第２リンク部材６Ｌの前端（＋Ｘ側端）は、左第３軸Ａ３Ｌの回りで回動可能に左モニタアーム４ＭＬに取り付けられ、右第２リンク部材６Ｒの前端（＋Ｘ側端）は、右第３軸Ａ３Ｒの回りで回動可能に右モニタアーム４ＭＲに取り付けられている。左第３軸Ａ３Ｌは、左モニタアーム４ＭＬの遠位端に配置され、右第３軸Ａ３Ｒは、右モニタアーム４ＭＲの遠位端に配置されている。図１の例では、右第２リンク部材６Ｒは左第２リンク部材６Ｌよりも長い。すなわち、右第３軸Ａ３Ｒと右第４軸Ａ４Ｒとの距離が左第３軸Ａ３Ｌと左第４軸Ａ４Ｌとの距離より大きい。右モニタアーム４ＭＲが左モニタアーム４ＭＬよりも長いため、すなわち、右第３軸Ａ３Ｒと第１軸Ａ１との距離が左第３軸Ａ３Ｌと第１軸Ａ１との距離より大きいためである。
【００２４】
軸部材７は、第４軸Ａ４を構成する。案内部材８は、軸部材７の動きを案内する。本実施形態では、軸部材７は、金属、プラスチック等で形成されたカムフォロアであり、案内部材８は、軸部材７であるカムフォロアを受け入れるカム溝８Ｇを備えた溝カムである。溝カムは、金属、プラスチック等で形成された板状部材であり、第１方向に延びるようにフレーム１に固定されている。軸部材７は、左右一対で構成され、左軸部材７Ｌ及び右軸部材７Ｒを含む。同様に、案内部材８は、左右一対で構成され、左案内部材８Ｌ及び右案内部材８Ｒを含む。なお、本実施形態では、軸部材７をカムフォロアとしたが、軸部材７から少し離れた位置にピン等を配置してそれをカムフォロアとし、軸部材７の動きを間接的に案内するようにしてもよい。
【００２５】
案内部材８は、カム溝８Ｇの代わりにレールを備えていてもよい。その場合、軸部材７は、レールに沿って移動できるレールフォロアとして構成される。
【００２６】
第１リンク部材５と第２リンク部材６は、第４軸Ａ４の回りで互いに回動可能に連結されている。具体的には、右第１リンク部材５Ｒの前端（＋Ｘ側端）と右第２リンク部材６Ｒの後端（−Ｘ側端）は、右第４軸Ａ４Ｒの回りで互いに回動可能に連結されている。また、左第１リンク部材５Ｌの前端（＋Ｘ側端）と左第２リンク部材６Ｌの後端（−Ｘ側端）は、左第４軸Ａ４Ｌの回りで互いに回動可能に連結されている。
【００２７】
スライダ駆動機構９は、スライダ３を往復動させる。本実施形態では、スライダ駆動機構９は、電動モータ９ａ、ギア９ｂ及びレバー９ｃを含む。
【００２８】
第１軸Ａ１、第２軸Ａ２、第３軸Ａ３及び第４軸Ａ４は何れも第１方向（Ｘ軸方向）に垂直な第２方向（Ｙ軸方向）に延び且つ互いに平行である。モニタアーム４Ｍの長さが不変であるため、第１軸Ａ１と第３軸Ａ３との距離は不変である。第１リンク部材５の長さが不変であるため、第２軸Ａ２と第４軸Ａ４との距離は不変である。また、第２リンク部材６の長さが不変であるため、第３軸Ａ３と第４軸Ａ４との距離は不変である。
【００２９】
第１軸Ａ１、第２軸Ａ２、第３軸Ａ３及び第４軸Ａ４は、回転支点として機能するものであればよく、例えば、ピン結合の軸、ヒンジ結合の軸等を含む。
【００３０】
次に、図４を参照し、収納完了状態のモニタ４を立ち上がり完了状態にするときのディスプレイ装置１００の動きについて説明する。図４は、ディスプレイ装置１００の側面図である。図４は、明瞭化のため、フレーム１、モニタ４、第１リンク部材５、第２リンク部材６及び案内部材８以外の構成要素の図示を省略している。また、左案内部材８Ｌのカム溝８ＧＬを点線で示している。図４（Ａ）は、モニタ４が横伏状態のうちの収納完了状態にあるときのディスプレイ装置１００の状態を示す。図４（Ｂ）は、モニタ４が横伏状態のうちの並進状態にあるときのディスプレイ装置１００の状態を示す。図４（Ｃ）は、モニタ４が回動状態のときのディスプレイ装置１００の状態を示す。図４（Ｄ）は、モニタ４が立ち上がり完了状態にあるときのディスプレイ装置１００の状態を示す。横伏状態は、例えば、モニタ４の表示面が第１方向に沿って延びている状態を意味する。並進状態は、モニタ４が横伏状態のまま直線的に第１方向に移動している状態を意味する。回動状態は、横伏状態と立ち上がり完了状態との間の中間状態を意味する。
【００３１】
図４に示すように、第１軸Ａ１及び第２軸Ａ２は、スライダ３と共に＋Ｘ方向に並行移動する。そのため、第１軸Ａ１及び第２軸Ａ２の高さは、図４（Ａ）〜図４（Ｄ）を通じて不変である。
【００３２】
一方、第４軸Ａ４の高さは、スライダ３が＋Ｘ方向に進むにつれて変化する。第４軸Ａ４が配置されている軸部材７が案内部材８のカム溝８Ｇに沿って移動するためである。具体的には、右第４軸Ａ４Ｒが配置されている右軸部材７Ｒは、右案内部材８Ｒのカム溝８ＧＲに沿って移動するためであり、左第４軸Ａ４Ｌを定める左軸部材７Ｌは、左案内部材８Ｌのカム溝８ＧＬに沿って移動するためである。図４の例では、第４軸Ａ４の高さは、スライダ３が＋Ｘ方向に進むにつれて低くなる。図４（Ａ）の状態では、右第４軸Ａ４Ｒは、右案内部材８Ｒのカム溝８ＧＲの案内端である後端（−Ｘ側端）に対応する位置で、且つ、最も高い位置にある。同様に、左第４軸Ａ４Ｌは、左案内部材８Ｌのカム溝８ＧＬの後端（−Ｘ側端）に対応する位置で、且つ、最も高い位置にある。
【００３３】
第３軸Ａ３の高さは、第４軸Ａ４の高さの変化に応じて変化する。第３軸Ａ３が配置されているモニタアーム４Ｍは、第１軸Ａ１回りに回動可能なためである。具体的には、図４（Ｂ）の状態から図４（Ｃ）の状態への推移の際に第４軸Ａ４がカム溝８Ｇに沿って下方（−Ｚ方向）に移動すると、第３軸Ａ３は上方（＋Ｚ方向）に移動する。＋Ｘ側に傾いていたモニタアーム４Ｍが、図４（Ｂ）の矢印ＡＲ１で示すように、時計回りに回動するためである。その後、図４（Ｃ）の状態から図４（Ｄ）の状態への推移の際に第４軸Ａ４がカム溝８Ｇに沿って更に下方（−Ｚ方向）に移動すると、第３軸Ａ３は下方（−Ｚ方向）に移動する。ほぼ真上に延びるモニタアーム４Ｍが、図４（Ｃ）の矢印ＡＲ２で示すように、更に時計回りに回動するためである。
【００３４】
モニタ４は、モニタアーム４Ｍが時計回りに回動するにつれて立ち上がり、図４（Ｄ）に示すように、第３軸Ａ３が第１軸Ａ１とほぼ同じ高さとなったときに立ち上がり完了状態となる。このとき、右第４軸Ａ４Ｒは、右案内部材８Ｒのカム溝８ＧＲの案内端である前端（＋Ｘ側端）に対応する位置で、且つ、最も低い位置にある。同様に、左第４軸Ａ４Ｌは、左案内部材８Ｌのカム溝８ＧＬの前端（＋Ｘ側端）に対応する位置で、且つ、最も低い位置にある。
【００３５】
このようにして、モニタ４は、収納完了状態から並進状態及び回動状態を経て立ち上がり完了状態に推移する。
【００３６】
なお、第３軸Ａ３が第１軸Ａ１から離れている程、すなわち、モニタアーム４Ｍが長い程、ディスプレイ装置１００は、より小さい力（スライダ３を移動させる力）でモニタ４を第１軸Ａ１回りに回動させることができる。モニタ４を回動させるトルクが大きくなるためである。これは、より小さい力でモニタ４の揺動を抑制し或いは防止できることを意味する。一方で、第３軸Ａ３が第１軸Ａ１に近い程、すなわち、モニタアーム４Ｍが短い程、ディスプレイ装置１００は、筐体を薄型化でき、且つ、立ち上がり完了状態にあるモニタ４とその背面側にある構造物との距離を短くすることができる。立ち上がり完了状態にあるモニタ４の背面側にある構造物は、例えば、ダッシュボード、エアコンのコントロールパネル又は吹き出し口等である。
【００３７】
次に、図５を参照し、モニタ４が収納完了状態にあるときの各軸の位置関係について説明する。図５は、ディスプレイ装置１００の側面図である。図５は、明瞭化のため、フレーム１、ガイド部材２、スライダ３、モニタ４、第１リンク部材５、第２リンク部材６及び案内部材８以外の構成要素の図示を省略している。図５（Ａ）は、第２軸Ａ２、左第３軸Ａ３Ｌ及び左第４軸Ａ４Ｌの位置関係を示すため、左案内部材８Ｌを半透明で示している。図５（Ｂ）は、第２軸Ａ２、右第３軸Ａ３Ｒ及び右第４軸Ａ４Ｒの位置関係を示すため、左第１リンク部材５Ｌ、左第２リンク部材６Ｌ及び左案内部材８Ｌの図示を省略している。以下の説明は、モニタ４が並進状態にあるときにも同様に適用される。
【００３８】
図５（Ａ）に示すように、スライダ３が往復動端の一方である後端（−Ｘ側端）に位置するとき、モニタ４は収納完了状態となる。このとき、左第１リンク部材５Ｌと左第２リンク部材６Ｌの連結点を通る左第４軸Ａ４Ｌは、左案内部材８Ｌのカム溝８ＧＬの後端（−Ｘ側端）に対応する位置にある。また、左第４軸Ａ４Ｌは、第２軸Ａ２と左第３軸Ａ３Ｌを含む平面Ｐ１上に位置する。すなわち、第２軸Ａ２、左第４軸Ａ４Ｌ及び左第３軸Ａ３Ｌは、側面視で一直線上に並び、第１軸Ａ１、第２軸Ａ２、左第３軸Ａ３Ｌ及び左第４軸Ａ４Ｌは側面視で三角形Ｔ１を形成する。左第３軸Ａ３Ｌは、左モニタアーム４ＭＬと左第２リンク部材６Ｌの連結点を通る。
【００３９】
この配置により、ディスプレイ装置１００は、収納完了状態にあるモニタ４の遠位端部４ｄの揺動を抑えることができる。収納完了状態にあるモニタ４の遠位端部４ｄの揺動は、例えば、車両の振動に起因する。
【００４０】
例えば、モニタ４の遠位端部４ｄが、矢印ＡＲ３で示すように、下方（−Ｚ方向）に移動しようとすると、左モニタアーム４ＭＬは、矢印ＡＲ４で示すように、第１軸Ａ１の回りで時計回りに回動しようとする。すなわち、第２軸Ａ２と左第３軸Ａ３Ｌとの間隔を大きくしようとする。しかしながら、左第４軸Ａ４Ｌが平面Ｐ１上にあるため、すなわち、三角形Ｔ１の１辺上にあるため、その間隔が大きくなることはない。したがって、遠位端部４ｄの下方への移動は抑制され或いは防止される。
【００４１】
また、モニタ４の遠位端部４ｄが、矢印ＡＲ５で示すように、上方（＋Ｚ方向）に移動しようとすると、左モニタアーム４ＭＬは、矢印ＡＲ６で示すように、第１軸Ａ１の回りで反時計回りに回動しようとする。すなわち、第２軸Ａ２と左第３軸Ａ３Ｌとの間隔を小さくしようとする。しかしながら、左第４軸Ａ４Ｌが平面Ｐ１上にあるため、すなわち、三角形Ｔ１の１辺上にあるため、また、カム溝８ＧＬに対応する位置にあるため、その間隔が小さくなることはない。左第４軸Ａ４Ｌの移動は、各軸の三角形配置によって制限されるため、また、カム溝８ＧＬによって制限されるためである。したがって、遠位端部４ｄの上方への移動は抑制され或いは防止される。
【００４２】
第２軸Ａ２、右第４軸Ａ４Ｒ及び右第３軸Ａ３Ｒの位置関係についても同様である。具体的には、図５（Ｂ）に示すように、スライダ３が往復動端の一方である後端（−Ｘ側端）に位置するとき、右第１リンク部材５Ｒと右第２リンク部材６Ｒの連結点を通る右第４軸Ａ４Ｒは、右案内部材８Ｒのカム溝８ＧＲの後端（−Ｘ側端）に対応する位置にある。また、右第４軸Ａ４Ｒは、第２軸Ａ２と右第３軸Ａ３Ｒを含む平面Ｐ１上に位置する。すなわち、第２軸Ａ２、右第４軸Ａ４Ｒ及び右第３軸Ａ３Ｒは、側面視で一直線上に並び、第１軸Ａ１、第２軸Ａ２、右第３軸Ａ３Ｒ及び右第４軸Ａ４Ｒは側面視で三角形Ｔ１を形成する。右第３軸Ａ３Ｒは、右モニタアーム４ＭＲと右第２リンク部材６Ｒの連結点を通る。
【００４３】
このように、ディスプレイ装置１００は、スライダ３が後端に位置するときに、第２軸Ａ２、第４軸Ａ４及び第３軸Ａ３が側面視で一直線上に並ぶようにすることで、モニタ４の遠位端部４ｄの揺動（上下動）を抑制し或いは防止できる。具体的には、第４軸Ａ４が平面Ｐ１上に位置しない状態、すなわち、第４軸Ａ４が平面Ｐ１に近づく方向に移動可能な状態を作り出してしまうのを防止できる。そのため、第２軸Ａ２と第３軸Ａ３との間隔が変化してモニタ４の遠位端部４ｄが上下動してしまうのを防止できる。
【００４４】
次に、図６を参照し、モニタ４が立ち上がり完了状態にあるときの各軸の位置関係について説明する。図６（Ａ）は、ディスプレイ装置１００の側面図である。図６（Ａ）は、明瞭化のため、フレーム１、ガイド部材２、スライダ３、モニタ４、第１リンク部材５、第２リンク部材６及び案内部材８以外の構成要素の図示を省略している。図６（Ａ）は、第１軸Ａ１、第２軸Ａ２、右第３軸Ａ３Ｒ及び右第４軸Ａ４Ｒの位置関係を示すため、右案内部材８Ｒを半透明で示している。図６（Ｂ）は、比較例における各軸の位置関係を示す。図６（Ｂ）は、各軸と各軸に作用する力及びトルクのみを示し、他の構成要素の図示を省略している。以下の説明は、第１軸Ａ１、第２軸Ａ２、左第３軸Ａ３Ｌ及び左第４軸Ａ４Ｌの位置関係についても同様に適用される。
【００４５】
図６（Ａ）に示すように、スライダ３が往復動端の他方である前端（＋Ｘ側端）に位置するとき、モニタ４は立ち上がり完了状態となる。このとき、右第１リンク部材５Ｒと右第２リンク部材６Ｒの連結点を通る右第４軸Ａ４Ｒは、右案内部材８Ｒのカム溝８ＧＲの前端（＋Ｘ側端）に対応する位置にある。また、右モニタアーム４ＭＲと右第２リンク部材６Ｒの連結点を通る右第３軸Ａ３Ｒは、第１軸Ａ１と右第４軸Ａ４Ｒを含む平面Ｐ２よりもモニタ４の遠位端部４ｄに近いところに位置する。すなわち、右第３軸Ａ３Ｒは、平面Ｐ２よりも上方（＋Ｚ方向）に位置する。
【００４６】
この配置により、ディスプレイ装置１００は、立ち上がり完了状態にあるモニタ４の遠位端部４ｄの揺動を抑えることができる。立ち上がり完了状態にあるモニタ４の遠位端部４ｄの揺動は、例えば、車両の振動、モニタ４の表面側に取り付けられたタッチパネル又はボタンの操作等に起因する。
【００４７】
例えば、モニタ４の遠位端部４ｄが、矢印ＡＲ７で示すように、前方（＋Ｘ方向）に移動しようとすると、右モニタアーム４ＭＲは、矢印ＡＲ８で示すように、第１軸Ａ１の回りで反時計回りに回動しようとする。すなわち、矢印ＡＲ９で示すように、右第４軸Ａ４Ｒを第１軸Ａ１側に引き付けようとする。しかしながら、右第４軸Ａ４Ｒがカム溝８ＧＲの前端（＋Ｘ側端）に対応する位置にあるため、右第４軸Ａ４Ｒが第１軸Ａ１側に引き付けられることはない。したがって、遠位端部４ｄの前方への移動は抑制され或いは防止される。
【００４８】
モニタ４が立ち上がり完了状態にあるときの右第４軸Ａ４Ｒの第１軸Ａ１側への移動は、右ストッパ部材８ＳＲによって制限されてもよい。この場合、右第４軸Ａ４Ｒは、カム溝８ＧＲの前端（＋Ｘ側端）に対応する位置にある必要はない。
【００４９】
右ストッパ部材８ＳＲは、右案内部材８Ｒの一部であり、モニタ４が立ち上がり完了状態にあるときに、右第２リンク部材６Ｒと接触し、右第２リンク部材６Ｒの前方（＋Ｘ方向）への移動を停止させる。右ストッパ部材８ＳＲは、フレーム１に取り付けられた別個独立の部材であってもよい。
【００５０】
このように、ディスプレイ装置１００は、スライダ３が前端に位置するときに、第３軸Ａ３が平面Ｐ２よりもモニタ４の遠位端部４ｄに近いところに位置するように構成することで、遠位端部４ｄの揺動を抑制し或いは防止できる。具体的には、図６（Ｂ）の比較例に示すように、平面Ｐ２よりもモニタ４の遠位端部４ｄから遠いところに右第３軸Ａ３Ｒが位置する構成、すなわち、平面Ｐ２よりも下方（−Ｚ方向）に右第３軸Ａ３Ｒが位置する構成がもたらされてしまうのを防止できる。
【００５１】
図６（Ｂ）に示す比較例の構成では、モニタ４の遠位端部４ｄが前方（＋Ｘ方向）に移動しようとすると、右モニタアーム４ＭＲは、矢印ＡＲ８'で示すように、第１軸Ａ１の回りで反時計回りに回動しようとする。すなわち、矢印ＡＲ９'で示すように、右第４軸Ａ４Ｒを第１軸Ａ１から遠ざけようとする。第４軸Ａ４は、＋Ｘ方向には移動できないが、−Ｘ方向には移動できる。＋Ｘ方向への動きはカム溝８ＧＲによって制限されるが、−Ｘ方向への動きはカム溝８ＧＲによって制限されないためである。そのため、比較例の構成は、遠位端部４ｄの前方（＋Ｘ方向）への移動を抑制できない。ディスプレイ装置１００は、右第３軸Ａ３Ｒを平面Ｐ２よりも上方（＋Ｚ方向）に配置することで、このような問題を解決している。
【００５２】
次に、図７を参照し、立ち上がり完了状態にあるモニタ４の遠位端部４ｄの後方（−Ｘ方向）への移動を抑制するための構成について説明する。図７は、ディスプレイ装置１００の上面斜視図である。
【００５３】
図７に示すように、モニタ４は、モニタアーム４Ｍの延在方向と同じ方向（図７では−Ｘ方向）に下端部４ｐから延びる回動停止部４Ｈを有する。
【００５４】
回動停止部４Ｈは、モニタ４が立ち上がり完了状態にあるときに、スライダ３の上面（＋Ｚ側面）と接触し、第１軸Ａ１の回りにおけるモニタ４の回動を停止させるように構成されている。
【００５５】
スライダ３は、往復動端の前端に位置するときに回動停止部４Ｈと接触して第１軸Ａ１の回りにおけるモニタ４の回動を停止させるように構成されている。
【００５６】
この構成により、ディスプレイ装置１００は、立ち上がり完了状態にあるモニタ４の遠位端部４ｄの揺動を抑えることができる。
【００５７】
例えば、モニタ４の遠位端部４ｄが、矢印ＡＲ１０で示すように、後方（−Ｘ方向）に移動しようとすると、モニタアーム４Ｍは、矢印ＡＲ１１で示すように、第１軸Ａ１の回りで回動しようとする。しかしながら、回動停止部４Ｈがスライダ３の上面と接しているため、モニタアーム４Ｍが回動することはない。したがって、遠位端部４ｄの後方への移動は抑制され或いは防止される。
【００５８】
このように、ディスプレイ装置１００は、スライダ３が前端に位置するときに、回動停止部４Ｈがスライダ３の上面と接するように構成することで、遠位端部４ｄの揺動を抑制し或いは防止できる。
【００５９】
次に、図８を参照し、ディスプレイ装置１００の幅方向の中心線ＣＬに関して左右非対称の第２リンク部材６による効果について説明する。図８は、車両のダッシュボードに取り付けられたディスプレイ装置１００とディスプレイ装置１００の上に配置された構造物１０との位置関係を示す概略図である。図８は、モニタ４が収納完了状態にあるときの状態を示す。具体的には、図８（Ａ）はディスプレイ装置１００及び構造物１０の上面図である。図８（Ｂ）は図８（Ａ）におけるＸＺ平面Ｐ３を−Ｙ側から見た図である。モニタ４は、主に右第１リンク部材５Ｒ、右第２リンク部材６Ｒ、右軸部材７Ｒ及び右案内部材８Ｒで構成される右側モニタ回動機構２０Ｒと、主に左第１リンク部材５Ｌ、左第２リンク部材６Ｌ、左軸部材７Ｌ及び左案内部材８Ｌで構成される左側モニタ回動機構２０Ｌとによって第１軸Ａ１の回りで回動される。図８は、明瞭化のため、フレーム１、ガイド部材２、スライダ３、モニタ４、第１リンク部材５、第２リンク部材６及び案内部材８以外の構成要素の図示を省略している。
【００６０】
図８の例では、構造物１０は、モニタ４が収納完了状態にあるときにモニタ４の出入口に蓋をすることができる可動蓋である。可動蓋は、例えば、Ｘ軸方向にスライド可能である。構造物１０は、ダッシュボードの一部、意匠パネル等の非可動部材であってもよい。図８は、可動蓋が最も開いた状態（−Ｘ方向に最も移動した状態）、すなわち、モニタ４の出し入れが可能な状態を示す。可動蓋は、モニタ４が収納完了状態にあるときにモニタ４の出入口の少なくとも一部を覆うことができるように構成されている。
【００６１】
モニタ４は、図８（Ｂ）の点線で示すように、可動蓋との接触を回避しながら、可動蓋の前側（＋Ｘ側）の空間ＳＰ１を通って立ち上がり完了状態に移行する。空間ＳＰ１は、可動蓋と同じ高さにある、モニタ４が通過する空間を表す。
【００６２】
構造物１０としての可動蓋は、図８（Ａ）に示すように、Ｙ軸方向に沿って緩やかに湾曲しながら斜めに延びている。そのため、図８（Ａ）の状態では、可動蓋の右側（−Ｙ側）の前端（＋Ｘ側端）は、Ｘ軸方向において、右案内部材８Ｒの前端（＋Ｘ側端）よりも前側（＋Ｘ側）に位置する。一方、可動蓋の左側（＋Ｙ側）の前端（＋Ｘ側端）は、Ｘ軸方向において、左案内部材８Ｌの前端（＋Ｘ側端）よりも後側（−Ｘ側）に位置する。このように、可動蓋はディスプレイ装置１００の幅方向の中心線ＣＬに関して左右非対称となるように構成されている。
【００６３】
図８（Ｂ）の二点鎖線Ｌ１は、モニタ４が収納完了状態から立ち上がり完了状態に推移する際に右第２リンク部材６Ｒのうちの最も高い部位が描く軌跡を表す。また、二点鎖線Ｌ２は、モニタ４が収納完了状態から立ち上がり完了状態に推移する際に左第２リンク部材６Ｌのうちの最も高い部位が描く軌跡を表す。ＹＺ平面Ｐ４は、二点鎖線Ｌ１及び二点鎖線Ｌ２が最も高くなる点を含むＹＺ平面である。
【００６４】
図８（Ｂ）に示すように、右第２リンク部材６Ｒは、その最も高い部位の高さが一時的に構造物１０の下面（−Ｚ側面）よりも高くなるが、構造物１０と接触することなく推移するように構成されている。また、左第２リンク部材６Ｌは、その最も高い部位の高さが常に構造物１０の下面（−Ｚ側面）よりも低く、構造物１０と接触することなく推移するように構成されている。
【００６５】
以上の構成により、左右非対称の第２リンク部材６を有するディスプレイ装置１００は、左第２リンク部材６Ｌよりも長い右第２リンク部材６Ｒで、左モニタアーム４ＭＬよりも長い右モニタアーム４ＭＲを第１軸Ａ１の回りで回動させることができる。すなわち、右第２リンク部材６Ｒは、左第２リンク部材６Ｌが発生させるトルクよりも大きなトルクを発生させることができる。そのため、モニタ４を円滑に回動させることができる。これは、より小さい力でモニタ４の揺動を抑制し或いは防止でき、立ち上がり完了状態にあるモニタ４をより安定的に保持できることを意味する。
【００６６】
また、図８（Ａ）に示すように、右第２リンク部材６Ｒは、空間ＳＰ２内を＋Ｘ方向に移動し、左第２リンク部材６Ｌは、空間ＳＰ３内を＋Ｘ方向に移動する。空間ＳＰ２では、空間ＳＰ３に比べ、構造物１０の後端（−Ｘ側端）が比較的前寄り（＋Ｘ側寄り）にある。そのため、右第２リンク部材６Ｒは、ＹＺ平面Ｐ４のところで、すなわち、構造物１０の後端よりも後側（−Ｘ側）で最高到達高さに至り、構造物１０と接触することなく構造物１０の下に潜り込むことができる。左第２リンク部材６Ｌは、ＹＺ平面Ｐ４のところで、すなわち、構造物１０の下で最高到達高さに至るが、その最高到達高さが構造物１０の下面より低い位置にあるため、構造物１０と接触することなく構造物１０の下に潜り込むことができる。
【００６７】
このように、左右非対称の第２リンク部材６を有するディスプレイ装置１００は、その上に左右非対称の構造物１０が配置されている場合であっても、モニタ４及び第２リンク部材６を構造物１０と接触させることなく、モニタ４を円滑に回動させることができる。
【００６８】
次に、図９を参照し、左右対称の第２リンク部材６を有するディスプレイ装置１００Ｘの上に左右非対称の構造物１０が配置される場合の問題について説明する。図９は、車両のダッシュボードに取り付けられたディスプレイ装置１００Ｘとディスプレイ装置１００Ｘの上に配置された構造物１０との位置関係を示す概略図であり、図８（Ａ）に対応する。図９のディスプレイ装置１００Ｘは、左右対称の第２リンク部材６を有する点で図８のディスプレイ装置１００と相違するがその他の点で共通する。
【００６９】
図８の場合と同様に、右第２リンク部材６Ｒは、空間ＳＰ２内を＋Ｘ方向に移動し、左第２リンク部材６Ｌは、空間ＳＰ３内を＋Ｘ方向に移動する。空間ＳＰ２では、空間ＳＰ３に比べ、構造物１０の後端（−Ｘ側端）が比較的前寄り（＋Ｘ側寄り）にある。そのため、右第２リンク部材６Ｒは、ＹＺ平面Ｐ４のところで、すなわち、構造物１０の後端よりも後側（−Ｘ側）で最高到達高さに至り、構造物１０と接触することなく構造物１０の下に潜り込むことができる。しかしながら、左第２リンク部材６Ｌは、ＹＺ平面Ｐ４のところで、すなわち、構造物１０の下で最高到達高さに至ると、その最高到達高さが構造物１０の下面より高い位置にあるため、斜線模様で示す領域ＤＰ１のところで構造物１０と接触してしまう。
【００７０】
この接触を回避するため、より早いタイミングで第２リンク部材６を最高到達高さに至らせ、且つ、より早いタイミングで第２リンク部材６を下降させることが考えられる。しかしながら、より早いタイミングで第２リンク部材６を下降させると、モニタ４が立ち上がるタイミングも早くなってしまい、斜線模様で示す領域ＤＰ２のところでモニタ４が構造物１０と接触してしまう。第２リンク部材６が最高到達高さに至る位置を表すＹＺ平面Ｐ４がＹＺ平面Ｐ４'で示す位置まで−Ｘ方向にシフトすることで、モニタ４が通過する空間ＳＰ１の位置も空間ＳＰ１'で示す位置まで−Ｘ方向にシフトするためである。
【００７１】
図８における左右非対称の第２リンク部材６を有するディスプレイ装置１００は、上述のような接触を回避できる。左右非対称の構造物１０の形状に応じ、右第２リンク部材６Ｒの最も高い部位が描く軌跡（図８（Ｂ）の二点鎖線Ｌ１参照。）と、左第２リンク部材６Ｌの最も高い部位が描く軌跡（図８（Ｂ）の二点鎖線Ｌ２参照。）とを異ならせているためである。なお、上述のような接触に関する問題は、左右対称の第２リンク部材６と左右非対称の構造物１０との組み合わせで生じ、左右対称の第２リンク部材６と左右対称の構造物１０との組み合わせでは生じない。そのため、左右対称の第２リンク部材６を有するディスプレイ装置１００Ｘが本発明から除外されることはない。
【００７２】
上述の通り、ディスプレイ装置１００は、フレーム１と、フレーム１に固定されたガイド部材２と、第１方向（Ｘ軸方向）に延びるガイド部材２に沿って往復動可能なスライダ３と、第１軸Ａ１の回りで回動可能にスライダ３に取り付けられるモニタ４と、第２軸Ａ２の回りで回動可能にスライダ３に取り付けられる第１リンク部材５と、第３軸Ａ３の回りで回動可能に前記モニタ４に取り付けられる第２リンク部材６と、第４軸Ａ４を構成する軸部材７と、フレーム１に固定され且つ軸部材７の動きを案内する案内部材８と、モニタ４に一体的に突設され且つ第３軸Ａ３が配置されるモニタアーム４Ｍとを有する。第１リンク部材５と第２リンク部材６は、第４軸Ａ４の回りで互いに回動可能に連結されている。第１軸Ａ１、第２軸Ａ２、第３軸Ａ３及び第４軸Ａ４は何れも第１方向（Ｘ軸方向）に垂直な第２方向（Ｙ軸方向）に延び且つ互いに平行である。そして、モニタアーム４Ｍ、第１リンク部材５、第２リンク部材６、軸部材７、及び案内部材８は、それぞれ少なくとも２つずつ設けられ、少なくとも２つのモニタ回動機構２０を構成している。この構成により、ディスプレイ装置１００は、モニタ４を回動させようとする力の作用点を２つ以上とすることができ、モニタ４をより円滑に回動できる。
【００７３】
少なくとも２つのモニタアームのうちの１つは、少なくとも２つのモニタアームのうちの別の１つよりも長くなるように構成されていてもよい。例えば、左右一対の左モニタアーム４ＭＬ及び右モニタアーム４ＭＲのそれぞれは、ディスプレイ装置１００の幅方向の中心線ＣＬに関して左右非対称となるように構成されていてもよい。この構成により、ディスプレイ装置１００は、右モニタアーム４ＭＲを長くすることができ、第１軸回りのトルクを大きくすることができる。また、左モニタアーム４ＭＬを短くすることで、左モニタアーム４ＭＬに連結される左第２リンク部材６Ｌの最高到達高さを低くすることができ、ディスプレイ装置１００の一部を覆うように配置される構造物と左第２リンク部材６Ｌとの接触を回避できる。この場合、構造物１０は、ディスプレイ装置１００の幅方向の中心線ＣＬに関して左右非対称の形状を有していてもよい。
【００７４】
少なくとも２つのモニタ回動機構２０は、モニタ４の左側にある左側モニタ回動機構２０Ｌと、モニタ４の右側にある右側モニタ回動機構２０Ｒとを含んでいてもよい。この構成により、ディスプレイ装置１００は、モニタ４の左右両側でモニタを支えることができ、且つ、モニタ４の左右両側で第１軸Ａ１回りのトルクを発生させることができる。
【００７５】
少なくとも２つの第２リンク部材のうちの１つは、少なくとも２つの第２リンク部材のうちの別の１つよりも長くなるように構成されていてもよい。例えば、左右一対の左第２リンク部材６Ｌ及び右第２リンク部材６Ｒのそれぞれは、ディスプレイ装置１００の幅方向の中心線ＣＬに関して左右非対称となるように構成されていてもよい。この構成により、ディスプレイ装置１００は、長い方の右第２リンク部材６Ｒに連結される右モニタアーム４ＭＲを長くすることができ、第１軸Ａ１回りのトルクを大きくすることができる。また、短い方の左第２リンク部材６Ｌの最高到達高さを低くすることができ、ディスプレイ装置１００の一部を覆うように配置される構造物１０と左第２リンク部材６Ｌとの接触を回避できる。この場合、構造物１０は、ディスプレイ装置１００の幅方向の中心線ＣＬに関して左右非対称の形状を有していてもよい。
【００７６】
案内部材８は溝カムであってもよい。この場合、ディスプレイ装置１００が左側モニタ回動機構２０Ｌ及び右側モニタ回動機構２０Ｒを有し、且つ、右第２リンク部材６Ｒの長さと左第２リンク部材６Ｌの長さが異なるときには、右案内部材８Ｒのカム溝８ＧＲの形状は、左案内部材８Ｌのカム溝８ＧＬの形状と異なるように構成されていてもよい。この構成により、ディスプレイ装置１００は、左右非対称の一対のモニタ回動機構２０のそれぞれによる、モニタ４の回動を開始させるタイミング、モニタ４の回動速度、モニタ４の回動を停止させるタイミング等を同期させることができる。
【００７７】
右側モニタ回動機構２０Ｒに関する第１軸Ａ１と右第３軸Ａ３Ｒとの距離は、左側モニタ回動機構２０Ｌに関する第１軸Ａ１と左第３軸Ａ３Ｌとの距離よりも大きくなるように構成されていてもよい。第１軸Ａ１と第３軸Ａ３との距離が大きい程、すなわち、モニタアーム４Ｍが長い程、より小さい力で第１軸Ａ１回りにモニタ４を回動させることができるためである。この構成により、ディスプレイ装置１００は、より小さい力でモニタ４の揺動を抑制し或いは防止し、且つ、より小さい力でモニタ４を回動させることができる。
【００７８】
また、モニタ４が横伏状態のときに、第４軸Ａ４が第２軸Ａ２と第３軸Ａ３を含む平面Ｐ１上に位置するように構成されていてもよい。この構成により、ディスプレイ装置１００は、横伏状態にあるモニタ４をより安定的に保持できる。すなわち、ディスプレイ装置１００は、横伏状態にあるモニタ４の下にスポンジ等の緩衝材を配置することなく、収納完了状態又は並進状態にあるモニタ４の安定性を向上させることができる。各軸の適切な配置によって収納完了状態又は並進状態にあるモニタ４の遠位端部４ｄの揺動を防止できるためである。緩衝材を用いることがないため、モニタ４の表示面に傷を付けてしまうこともない。また、緩衝材等を配置するスペースの確保のために設計自由度が制限されてしまうこともない。
【００７９】
また、上述の構成では、モニタアーム４Ｍ（図５参照。）が比較的短いため、モニタ４が揺動するときにモニタアーム４Ｍの遠位端が第２リンク部材６に及ぼす力は、モニタ４の遠位端部４ｄに作用する力に比べて大きい。このような場合であっても、ディスプレイ装置１００は、モニタ４が横伏状態にあるときに第４軸Ａ４を平面Ｐ１上に位置付けることによって、モニタ４の遠位端部４ｄの揺動を防止できる。そのため、ディスプレイ装置１００は、薄型構造を維持しながらも、横伏状態のモニタ４を安定的に保持できる。
【００８０】
また、軸部材７としてのカムフォロアの動きは、案内部材８としての溝カムにおけるカム溝８Ｇによって制限される。そのため、スライダ３が往復動する際の第４軸Ａ４の移動経路は、カム溝８Ｇの形状に応じて決まる。そして、モニタアーム４Ｍと第２リンク部材６との連結点を通る第３軸Ａ３の移動経路は、第４軸Ａ４の移動経路に応じて決まる。モニタアーム４Ｍは、スライダ３に関して変位しない第１軸Ａ１の回りを回動し、第２リンク部材６は、第４軸Ａ４の回りを回動するためである。そして、モニタ４及びモニタアーム４Ｍの回動速度、回動開始時期、回動終了時期等は、第３軸Ａ３の動きに応じて決まる。すなわち、モニタ４の回動は、単純で且つ信頼性の高いモニタ回動機構２０によって実現される。そのため、ディスプレイ装置１００は、スライダ３の往復動に応じて円滑にモニタ４を回動させることができる。また、モニタ４が収納完了状態、並進状態、回動状態、及び立ち上がり完了状態にあるときのモニタ回動機構２０の剛性を比較的容易に確保できる。また、比較的短いモニタアーム４Ｍによるモニタ４の円滑な回動を実現できる。
【００８１】
また、モニタ４は、スライダ３が往復動端のうちの前端（＋Ｘ側端）に位置するときに立ち上がり完了状態になる。このとき、ディスプレイ装置１００は、第１軸Ａ１と第４軸Ａ４を含む平面Ｐ２よりもモニタ４の遠位端部４ｄに近いところに第３軸Ａ３が位置するように構成されている。すなわち、第３軸Ａ３が平面Ｐ２よりも上方（＋Ｚ方向）に位置するように構成されている。この構成により、ディスプレイ装置１００は、立ち上がり完了状態にあるモニタ４が前方に傾くのを抑制し或いは防止できる。図６を参照して説明したように、第４軸Ａ４が第１軸Ａ１に近づくのを防止できるためである。そのため、ディスプレイ装置１００は、モニタ４が立ち上がり完了状態になった後もモニタ４の揺動を抑制し或いは防止できる。
【００８２】
また、軸部材７としてのカムフォロアは、望ましくは、スライダ３が往復動端のうちの前端（＋Ｘ側端）に位置するとき、すなわち、モニタ４が立ち上がり完了状態にあるときに、案内部材８の案内端であるカム溝８Ｇの前端（＋Ｘ側端）に位置する。そのため、図６を参照して説明したように、第４軸Ａ４が第１軸Ａ１に近づくのをより確実に防止できる。
【００８３】
また、モニタ４は、回動停止部４Ｈを有していてもよい。この場合、スライダ３は、往復動端の前端（＋Ｘ側端）に位置するとき、すなわちモニタ４が立ち上がり完了状態にあるときに、回動停止部４Ｈと接触して第１軸Ａ１の回りにおけるモニタ４の回動を停止させる。この構成により、ディスプレイ装置１００は、立ち上がり完了状態にあるモニタ４が後方に傾くのを抑制し或いは防止できる。図７を参照して説明したように、モニタアーム４Ｍが第１軸Ａ１の回りで回動するのを防止できるためである。そのため、ディスプレイ装置１００は、モニタ４が立ち上がり完了状態になった後もモニタ４の揺動を抑制し或いは防止できる。
【００８４】
以上、本発明の好ましい実施形態について詳説した。しかしながら、本発明は、上述した実施形態に制限されることはない。上述した実施形態は、本発明の範囲を逸脱することなしに、種々の変形、置換等が適用され得る。
【００８５】
例えば、上述の実施形態では、ディスプレイ装置１００は、左側モニタ回動機構２０Ｌをモニタ４の左側に備え、右側モニタ回動機構２０Ｒをモニタ４の右側に備えている。しかしながら、本発明はこの構成に限定されるものではない。例えば、ディスプレイ装置１００は、３つ以上のモニタ回動機構２０を備えていてもよい。
【符号の説明】
【００８６】
１・・・フレーム  １Ｂ・・・底面板  １Ｆ・・・前面板  １Ｒ・・・背面板  ２・・・ガイド部材  ３・・・スライダ  ４・・・モニタ  ４Ｍ・・・モニタアーム  ４ｄ・・・遠位端部  ４ｐ・・・下端部  ５・・・第１リンク部材  ６・・・第２リンク部材  ７・・・軸部材  ８・・・案内部材  ８Ｇ・・・カム溝  ８Ｓ・・・ストッパ部材  ９・・・スライダ駆動機構  ９ａ・・・電動モータ  ９ｂ・・・ギア  ９ｃ・・・レバー  １０・・・構造物  ２０・・・モニタ回動機構  １００・・・ディスプレイ装置  Ａ１・・・第１軸  Ａ２・・・第２軸  Ａ３・・・第３軸  Ａ４・・・第４軸
【図１】
2018132708.tif 000003
【図２】
2018132708.tif 000004
【図３】
2018132708.tif 000005
【図４】
2018132708.tif 000006
【図５】
2018132708.tif 000007
【図６】
2018132708.tif 000008
【図７】
2018132708.tif 000009
【図８】
2018132708.tif 000010
【図９】
2018132708.tif 000011